(57)【要約】【課題】試料の位置を目視で確認する際の試料の視認性を向上させることのできる顕微鏡を提供すること。【解決手段】本発明の顕微鏡は、ステージ１０５上に載置された標本１１６とコンデンサレンズ２０２との間に視野絞り２１０を配置し、視野絞り２１０の対物レンズ１１３に対向する側の面Ｓ１を、ステージ１０５の表面よりも光反射率を高く構成している。ステージ１０５の照明用開口１０５ｈから入り込んだ外光が視野絞り２１０の面Ｓ１で反射することで、標本１１６のバックを従来よりも明るくすることができる。その結果、標本の観察したい位置を目視で確認する際の標本の視認性を向上させることができる。【選択図】        図３
2010097075.tif 000002
【特許請求の範囲】
【請求項１】
標本が載置されるステージと、
前記標本の上方に配置され、前記標本を観察するための対物レンズと、
前記ステージの下方に配置されたコンデンサレンズとを有し、
光源からの照明光を、前記コンデンサレンズを通して前記ステージ下方から前記標本に導き、前記標本を照明する顕微鏡において、
前記標本と前記コンデンサレンズとの間に絞り部材を配置し、
前記絞り部材の前記対物レンズに対向する側の面を、前記ステージ表面よりも反射率を高く構成したことを特徴とする顕微鏡。
【請求項２】
前記絞り部材を、前記コンデンサレンズを保持するコンデンサレンズ保持枠の先端部に取り付けたことを特徴とする請求項１に記載の顕微鏡。
【請求項３】
前記絞り部材を前記コンデンサレンズ保持枠の先端部に着脱可能に取り付けたことを特徴とする請求項２に記載の顕微鏡。
【請求項４】
前記絞り部材を前記ステージに形成された照明用開口部の下部に取り付けたことを特徴とする請求項１に記載の顕微鏡。
【請求項５】
前記絞り部材は、その絞り径を変更可能に構成したものであることを特徴とする請求項１から４のいずれか一つに記載の顕微鏡。
【請求項６】
前記絞り部材は、その絞り径を前記対物レンズの視野径に外接する大きさに固定したものであることを特徴とする請求項１から４のいずれか一つに記載の顕微鏡。
【発明の詳細な説明】
【技術分野】
【０００１】
本発明は、標本を透過照明する透過照明光学系及び透過光源を備えた顕微鏡に関するものである。
【背景技術】
【０００２】
一般に、細胞診断などでは、使用する標本にパパニコロウ染色やギムザ染色を行うことで細胞内の細胞小器官を色付けしてから顕微鏡観察している。これらの染色は透過照明で観察できるように、非常に薄い色で染められている。また、標本に再検鏡を要する着目部位を発見した場合には、着目部位の近傍にマークを付け、マーキングされた部位を再顕鏡する。
【０００３】
図１は、上述した細胞診断の際に使用される正立型光学顕微鏡の斜視図である。図１に示す顕微鏡では、回転操作されるレボルバ１１２に取り付けられた対物レンズ１１３がステージ１０５の上方に設置され、コンデンサ１０８がステージ１０５の照明用開口（図示せず）に対向するように設置されている。照明用開口の上には、スライドガラス等に固定された標本１１６が載置されている。
【０００４】
また、図１０は、上記構成を有する顕微鏡の照明光学系の一般的な光路図である。光源１０から出射した照明光は、コレクタレンズ２０を通過し、フィルタ３０を通過して明るさや色調が整えられた後、視野絞り４０を通ってミラー５０で上方に反射される。上方に向きを変えた光は、窓レンズ６０と開口絞り７０を通過し、コンデンサ１０８に収容されたコンデンサレンズ８０を通って、標本１１６を照明する。このとき、対物レンズ１１３の実視野に対応する領域を照明するように、視野絞りの絞り径が投影される。
【０００５】
上述した顕微鏡を用いて標本１１６の観察を行うに際しては、予め目視で対物レンズ１１３の光軸付近に標本１１６を位置させておかないと、倍率を上げた状態で顕微鏡を通して観察したときに標本１１６の位置を探すのに手間を要してしまう。しかしながら、薄い色に染められた標本やマーキングされた標本を、黒色（暗い色）に表面処理されたステージ１０５に載せると、標本１１６がほとんど見えず、スライドガラスのどこに標本１１６が固定されているのかも分からない。
【０００６】
さらに、標本１１６をステージ１０５の照明用開口（すなわち、コンデンサレンズ８０の上部）に配置した場合も、照明光の強度に関わらず標本１１６を目視で確認することが困難である。なぜならば、照明光の光束は、視野絞りの絞り径により対物レンズ１１３の実視野に対応する領域に絞られており、対物レンズ１１３がある場合は照明光が対物レンズの外側に漏れてこないからである。そこで、標本１１６を目視で見やすくするために、各種の工夫がなされている。
【０００７】
例えば、特許文献１の図１２には、コンデンサレンズの先玉レンズを保持する先玉レンズ保持部を、白色や金属色の明るい色にコーティングするか、又は、先玉レンズ保持部に白いキャップを被せることが開示されている。
【０００８】
また、特許文献１の図２には、顕微鏡のステージの下方から標本を透過照明する照明ユニットが開示されている。この照明ユニットの先端部開口にはガラス板が設置され、ガラス板の下方に平面蛍光灯が配置されている。平面蛍光灯は、照明ユニット外に配置された電源から電力が供給されて点灯し、ガラス板を通して、対物レンズの視野及び視野周辺を含む領域を照明する。
【０００９】
【特許文献１】特開平８−１１４７４８号公報
【発明の開示】
【発明が解決しようとする課題】
【００１０】
しかしながら、特許文献１の図１２に示されるように、コンデンサレンズの先玉レンズ保持部を白色や金属色の明るい色にコーティングした場合、その部位では標本が見やすくなるが、先玉レンズの上方に標本が位置したときの標本の視認性は悪い。すなわち、この構成では、最も明るくすべき視野周辺は依然として暗く、見にくい状態のままである。特に、低倍率対物レンズの視野に対応したコンデンサレンズの場合、低倍率対物レンズの広い視野径に対応するようにコンデンサレンズ８０の先玉２０２ａのレンズ径が大きいため、最も視認性が求められる対物レンズの光軸付近で標本を見失ってしまうという問題がある。
【００１１】
また、特許文献１の図２に示されるように平面蛍光灯で標本を照明する場合、対物レンズの視野及び視野周辺の視認性は高まるが、照明ユニットの構成が複雑であり、専用の照明部材が必要となるため、コスト的に問題がある。
【００１２】
本発明は、上記実情に鑑みてなされたものであり、簡易な構成で、標本の位置を目視で確認する際の標本の視認性を向上させることのできる顕微鏡を提供することを目的とする。
【課題を解決するための手段】
【００１３】
上記の目的を達成するために、本発明に係る顕微鏡は、標本が載置されるステージと、前記標本の上方に配置され、前記標本を観察するための対物レンズと、前記ステージの下方に配置されたコンデンサレンズとを有し、光源からの照明光を、前記コンデンサレンズを通して前記ステージ下方から前記標本に導き、前記標本を照明する顕微鏡において、前記標本と前記コンデンサレンズとの間に絞り部材を配置し、前記絞り部材の前記対物レンズに対向する側の面を、前記ステージ表面よりも反射率を高く構成したことを特徴とする。
【００１４】
また、本発明に係る顕微鏡は、上記の発明において、前記絞り材を、前記コンデンサレンズを保持するコンデンサレンズ保持枠の先端部に取り付けたことを特徴とする。
【００１５】
また、本発明に係る顕微鏡は、上記の発明において、前記絞り部材を前記コンデンサレンズ保持枠の先端部に着脱可能に取り付けたことを特徴とする。
【００１６】
また、本発明に係る顕微鏡は、上記の発明において、前記絞り部材を前記ステージに形成された照明用開口部の下部に取り付けたことを特徴とする。
【００１７】
また、本発明に係る顕微鏡は、上記の発明において、前記絞り部材が、その絞り径を変更可能に構成したものであることを特徴とする。
【００１８】
また、本発明に係る顕微鏡は、上記の発明において、前記絞り部材が、その絞り径を前記対物レンズの視野径に外接する大きさに固定したものであることを特徴とする。
【発明の効果】
【００１９】
本発明の顕微鏡では、絞り部材が標本に近い位置に配置され、視野絞りとして顕微鏡観察の照明光に作用する。そして、この絞り部材の対物レンズに対向する面は、ステージ表面よりも反射率を高くしてある。このため、絞り部材の絞り径を対物レンズの観察視野径に合うように調整することで、同時に、標本のバックにある絞り部材の光反射率の高い面も観察視野径に外接することになる。その結果、ステージの照明用開口から入り込んだ外光が絞り部材の反射率の高い面で反射することで、標本のバックにおける観察視野径の外側領域が、従来よりも明るく見えるようになる。その結果、薄く染色された標本やマーキングされた標本の位置を目視で確認する際の標本の視認性を向上させることができる。
【発明を実施するための最良の形態】
【００２０】
以下に添付図面を参照しながら、本発明に係る顕微鏡の好適な実施の形態について詳細に説明する。
【００２１】
（実施の形態１）
図１は、以下に説明する実施の形態１が適用された正立型光学顕微鏡（以下、省略して単に「顕微鏡」という。）の側面図である。なお、本発明の顕微鏡は、既に説明した従来の顕微鏡と同じ外観構成を有している。従って、以下では同じ図１を用いて説明する。この顕微鏡は、顕微鏡本体１０１の下部側面にベース１０２が設けられ、このベース１０２に照準ハンドル１０３が回転操作可能に取り付けられている。また、ベース１０２の上方の顕微鏡本体１０１側面には、照準ハンドル１０３によって上下方向に移動するステージユニット１０４が取り付けられている。ステージユニット１０４は平面内で直交するＸＹ方向へ移動可能なステージ１０５を備えている。
【００２２】
さらにステージユニット１０４には、ハンドル１０６によりステージユニット１０４に対して上下動可能なホルダ１０７が取り付けられており、ホルダ１０７には、内部にコンデンサレンズ２０２（図２を参照）を収容した透過明視野コンデンサ１０８（以下、省略して「コンデンサ１０８」とよぶ）が保持されている。コンデンサ１０８は、クランプねじ１０９によってホルダ１０７に固定され、芯出しねじ１１０によって芯出し可能となっている。
【００２３】
一方、顕微鏡本体１０１には、ステージ１０５の上部に鏡筒保持部１１１が突出するように設けられており、この鏡筒保持部１１１にレボルバ１１２が回転自在に取り付けられている。このレボルバ１１２の回転動作により任意の対物レンズ１１３を光軸上に挿入することができる。対物レンズ１１３の焦点面には、ステージ１０５に保持された標本１１６が設置されている。鏡筒保持部１１１の上方には鏡筒１１４が取り付けられ、鏡筒１１４に取り付けられた接眼レンズ１１５にて、標本１１６の拡大像を顕微鏡観察することができる。
【００２４】
図２は、上述した顕微鏡の照明光学系の光路図である。図２に示すように、光源１０から出射した照明光は、コレクタレンズ２０を通過し、フィルタ３０を通過して明るさや色調が整えられた後、ミラー５０で上方に反射される。上方に向きを変えた光は、窓レンズ６０、開口絞り２０７、コンデンサレンズ２０２、視野絞り２１０を通って、標本１１６の対物レンズ１１３の視野に対応する領域を照明する。なお、フィルタ３０は照明条件に応じて省略することが可能である。
【００２５】
本実施の形態では、開口絞り２０７と視野絞り２１０とを独立に操作するケーラー照明法を採用している。開口絞り２０７は、対物レンズ１１３の瞳と共役な位置に配置される。開口絞り２０７を絞ることで、標本面上の照明範囲のすべての位置に至る光が等しく遮られ、照明範囲の明るさ（対物レンズ１１３の視野の明るさ）を変えることができる。
【００２６】
視野絞り２１０は、標本面と共役な位置に配置される。視野絞り２１０を絞ることで、標本面上の照明範囲を変えることができる。図１０に示した従来の一例では、フィルタ３０とミラー５０との間に視野絞り４０を配置している。
【００２７】
本実施の形態では、図２に示すように、この視野絞り２１０をコンデンサレンズ２０２と標本１１６との間に配置した構成とするとともに、視野絞り２１０の対物レンズ１１３に対向する側の面Ｓ１を、ステージ１０５の表面よりも反射率を高くした構成としている。上記のように構成したことで、以下に説明するように、ステージ１０５の照明用開口上に配置された標本１１６の位置を目視で確認する際の標本１１６の視認性を従来よりも向上させている。
【００２８】
図３は、実施の形態１で使用するコンデンサ１０８の構成を示す断面図である。コンデンサ１０８の上方にはステージ１０５があり、ステージ１０５の照明用開口１０５ｈの上部に標本１１６を固定したスライドガラス２０６が載せられており、標本１１６に対物レンズ１１３の焦点が合わせられている。図１で示したホルダー１０７には、コンデンサアリ２０１が固定されている。
【００２９】
コンデンサ１０８には、上述したコンデンサレンズ２０２が収容されている。なお、コンデンサレンズ２０２は、図２に示したように、標本１１６に対向して配置される第２群レンズ２０２ａ，２０２ｂ，２０２ｃと、開口絞り２０７を挟んで下方に配置される第１群レンズ２０２ｄ，２０２ｅとから構成されるが、図３では第１群レンズ２０２ｄ，２０２ｅの図示を省略し、以下では、コンデンサレンズ２０２ａ，２０２ｂ，２０２ｃを総称してコンデンサ２０２として説明する。
【００３０】
コンデンサレンズ２０２は、コンデンサレンズ保持枠２０３の内部において、間隔環２０４と押さえ環２０５を介してコンデンサレンズ保持枠２０３に保持されている。コンデンサレンズ保持枠２０３は、その先端部が開口した環状の部材である。コンデンサレンズ２０２の瞳面には、開口絞り２０７（以下、これを「ＡＳ絞り２０７」とよぶ）がコンデンサレンズ保持枠２０３と開口絞り回転環２０８（以下、これを「ＡＳ回転環２０８」とよぶ）によって保持されている。図示は省略するが、ＡＳ絞り２０７は複数の絞り羽から構成され、その絞り径が変更可能な可変絞りとして構成してある。ＡＳ絞り２０７とＡＳ回転環２０８は、ＡＳ回転環２０８を回転させるとＡＳ絞り２０７の内径が変化するように、図示しないピンで係合されている。また、ＡＳ回転環２０８にはその回転量が分かる指標が刻印されている。
【００３１】
コンデンサレンズ２０２ａの上方には、視野絞り２１０（以下、これを「ＦＳ絞り２１０」とよぶ）がコンデンサレンズ枠２０３と視野絞り回転環２１１（以下、これを「ＦＳ回転環２１１」とよぶ）によって保持されている。ＦＳ回転環２１１は、図示しない段付きビスにてコンデンサレンズ枠２０３に対して回転可能に保持されている。
【００３２】
図４−１は、図３に示したＦＳ絞り２１０の平面図であり、図４−２の左図は、ＦＳ絞り２１０を構成する絞り羽根２１０ａの平面図、右図は、左図の矢視Ａ−Ａ図である。図４−１に示すように、ＦＳ絞り２１０は複数の絞り羽根２１０ａから構成され、その絞り孔Ｈ１の内径（絞り径）φの大きさが変更可能な可変絞りとして構成してある。
【００３３】
図４−１に示すように、視野絞り２１０は、複数の絞り羽根２１０ａを順次組み合わせて構成されている。なお、図４−１では、一例として１０枚の絞り羽根２１０ａを用いているが、絞り羽２１０ａの枚数は上記に限定されるものではない。
【００３４】
図４−２に示すように、各絞り羽根２１０ａの両端部には、固定ピン２１０ｂ及び移動ピン２１０ｃが、絞り羽根２１０ａに対して互いに反対側に突設されている。固定ピン２１０ｂは、コンデンサレンズ保持枠２０３の先端面にあけられたピン穴に回転可能に係合されている。一方、移動ピン２１０ｃは、ＦＳ回転環２１１の先端面に形成された長溝２１１ａに沿って移動可能に係合されている。上記構成を有するＦＳ絞り２１０は、ＦＳ回転環２１１を回転させてその絞り径φを変化させることで、標本面１１６に照射する照明範囲を変化させることができる。
【００３５】
上述したように、ステージ１０５の表面は通常、黒色に表面処理されているが、本実施の形態では、ＦＳ絞り２１０を構成する各絞り羽根２１０ａの、対物レンズ１１３に対向する面Ｓ１が、ステージ１０５の表面よりも反射率が高くなるように表面処理が施されている。ＦＳ絞り２１０の面Ｓ１の表面処理としては、例えば、金属メッキ処理あるいは白色の塗装処理が好ましい。
【００３６】
金属メッキ処理で用いる金属は、例えばニッケル又はクロムのように、可視光領域全体で反射率が高い金属を用いるのが好ましい。本実施の形態では、ＦＳ絞り２１０の面Ｓ１をニッケルでメッキ処理しており、ＦＳ絞り２１０の面Ｓ１を金属色そのままの明るい色で構成している。なお、ＦＳ絞り２１０の面Ｓ１の表面に粗面化処理や鏡面処理を施してもよい。
【００３７】
また、上記の金属メッキ処理や白色の塗装処理等の表面処理を行う替わりに、絞り羽根２１０ａ自体を、白色のプラスチック成形品や、ニッケル、クロム等の金属板、鏡等で構成してもよい。
【００３８】
上記のように構成したＦＳ絞り２１０の絞り径φを、対物レンズ１１３の観察視野径に外接させるように調整すると、同時に、標本１１６のバックにあるＦＳ絞り２１０の面Ｓ１も観察視野径に外接することになる。その結果、ステージ１０５の照明用開口１０５ｈから取り入れられた外光が、ＦＳ絞り２１０の反射率の高い面Ｓ１で反射することで、標本１１６のバックにおける観察視野径の外側領域は、従来よりも明るく見えるようになる。
【００３９】
なお、ＦＳ回転環２１１には、その回転量が分かる指標が刻印されている。指標は絞り径の大きさを表す目盛線でもよいし、対物レンズ１１３の種類を表す指標線でもよい。また、オイル対物や水深対物を使用したり、標本１１６の水溶液をＦＳ絞り２１０にこぼしてしまった場合でも、容易に分解清掃できるように、ＦＳ回転環２１１を回転可能に固定している図示しない段付きビスが標準的な工具で取り外せるようになっている。
【００４０】
以上のように構成された本実施の形態の顕微鏡の作用を説明する。ユーザは、標本１１６が固定されたスライドガラス２０６をステージ１０５に載せ、図示しないクレンメルを用いてステージ１０５に固定する。次に、図示しないハンドルを操作することで、スライドガラス２０６をステージ１０５面に平行なＸＹ面で移動させる。このときに、ユーザはスライドガラス２０６上の標本１１６を直接目視して、顕微鏡で拡大観察したい標本１１６のおおよその位置を対物レンズ１１３の光軸付近に移動させる。クレンメルのないプレーンステージにおいては、スライドガラス２０６を直接手で動かして標本１１６を対物レンズ１１３の光軸に移動させることもある。この際、標本１１６のバックは、上述したように白色や金属色の明るい色で構成されているため、ユーザは、標本１１６の位置を目視で容易に確認することができる。
【００４１】
標本１１６のＸＹ方向の位置が目視レベルで決まると、対物レンズ１１３のうち、低倍率の対物レンズ１１３を、レボルバ１１２を回転させて観察光軸に挿入する。そして、光源１０を点灯して標本１１６に透過照明を当てる。
【００４２】
接眼レンズ１１５を覗いて、照準ハンドル１０３を回転させて、ステージユニット１０４を上下させる。これにより、結果として標本１１６が上下するので、標本１１６の像にピントを合わせれば、対物レンズ１１３の焦点面と標本１１６のＺ方向が一致する。
【００４３】
ＡＳ回転環２０８を回転させてＡＳ絞り２０７の絞り孔を開放する。次にＦＳ回転環２１１を回転させてＦＳ絞り２１０の絞り孔Ｈ１を最も小さい穴まで閉じる。ハンドル１０６を回転させてコンデンサ１０８を標本１１６に対してＺ方向に上下させる。接眼レンズ１１５で覗き込みながら、ＦＳ絞り２１０の羽端面にピントが合うように、ハンドル１０６を回転操作する。ＦＳ絞り２１０は、完全に標本１１６の光軸方向で一致しているわけではないので、多少ピントボケの状態で合わせることになるが、不要な迷光を削除する効果は十分得られる。
【００４４】
ＦＳ絞り２１０へのピント合わせが終わったら、次に芯出しねじ１１０によってコンデンサ１０８をＸＹ方向に振って、ＦＳ絞り２１０の絞り孔Ｈ１が接眼レンズ１５の視野の中心にくるように調整する。次に、ＦＳ回転環２１１を回転させて、ＦＳ絞り２１０の絞り孔Ｈ１を接眼レンズ１１５の視野に外接するように開く。このとき、芯出しねじ１１０を再調整してＦＳ絞り２１０の絞り孔Ｈ１と接眼レンズ１１５の視野の中心を合わせなおしてもよい。
【００４５】
ここで、ＦＳ絞り２１０がコンデンサ１０８に付属しているのに対し、標本面と共役なベース１０２内の位置にもＦＳ絞りが備わっている場合がある。この場合、同じ機能を持つ２つのＦＳ絞りが存在することになる。しかしながら、ＦＳ絞りとしての機能はどちらも同じである。したがってベース１０２内のＦＳ絞りの絞り孔は開放にしておき、本実施の形態におけるＦＳ絞り２１０だけを調整すればよい。
【００４６】
最後に、ＡＳ回転環２０８を回転させてＡＳ絞り２０７の絞り孔を変化させ、コントラストや焦点深度を調整すれば、低倍率対物レンズ１１３での透過明視野観察に適した照明条件が整う。以降、低倍率対物レンズ１１３にて標本１１６を詳細に顕微鏡観察し、より詳しく観察したい部位があるときには、高倍率の対物レンズ１１３を、レボルバ１１２を回転させて観察光軸に挿入する。以降、上記と同様にしてＦＳ絞り２１０とＡＳ絞り羽２０７を高倍率の対物レンズ１１３に合わせて調整することになる。ただし、一般的には、対物レンズ１１３の切り替えごとにＦＳ絞り２１０を調整しなおすことは稀である。ほとんどのユーザは、自分が使う対物レンズ１１３の中で最も視野の広い低倍率対物レンズにＦＳ絞り２１０を合わせておくだけで顕微鏡観察している。
【００４７】
以上説明したように、本実施の形態の顕微鏡によれば、標本１１６とコンデンサレンズ２０２との間にＦＳ絞り２１０を配置し、このＦＳ絞り２１０の標本１１６側の面Ｓ１を、金属や白色等の反射率の高い材質で表面処理したことで、薄く染色された標本１１６やマーキングされた標本１１６の位置を目視で確認する際の標本１１６の視認性を向上させることができる。特に、目視で標本１１６の位置を確認する際には、ＦＳ絞り２１０は照明範囲をぎりぎりで邪魔しない大きさまで絞り込まれているため、標本１１６のバックの明るい領域が、対物レンズ１１３の光軸近くまで広がり、従来よりも視認性の高い範囲を広げることができる。
【００４８】
さらに、ＦＳ絞り２１０の絞り孔Ｈ１の位置から、対物レンズ１１３の光軸位置が予想しやすくなり、標本１１６の観察したい位置を目視だけでより正確に光軸に近づけて位置出しすることができる。これにより、倍率を上げた顕微鏡観察に入った際に、標本１１６の観察したい位置を探す手間が大幅に削減できるようになる。
【００４９】
また、ＦＳ絞り２１０としての効果である、観察範囲以外の不要な透過照明光の遮光も兼ねる効果が得られる。さらに、より視認性を高めるために、標本１１６の観察したい位置を目視で探すときだけ、ＦＳ絞り２１０の内径を最低まで小さくすることで、上記効果をより高めることができる。
【００５０】
（実施の形態２）
次に、本発明の実施の形態２に係る顕微鏡について説明する。なお、上述した実施の形態１で説明した構成要素と同一の構成要素については同一の符号を付して説明する。
【００５１】
図５は、実施の形態２で使用するコンデンサ１０８の構成を示す断面図である。実施の形態２では、図３で示したステージ１０５に替えて、固定ステージ３０５を用いている。固定ステージ３０５の上には標本１１６を固定したスライドガラス２０６が設置され、図示しないクレンメルにて固定ステージ３０５に平行なＸＹ方向に移動可能に保持されている。
【００５２】
上述した実施の形態１では、コンデンサレンズ保持枠２０３の先端面にＦＳ絞り２１０を配置した構成とした。これに対して、実施の形態２では、固定ステージ３０５の照明用開口３０５ｈの下面に視野絞り３１０（以下、これを「ＦＳ絞り３１０」とよぶ）を配置した点が、実施の形態１と異なっている。それ以外の構成は実施の形態１と同じである。このＦＳ絞り３１０は、図５には明示されていないが、実施の形態１のＦＳ絞り２１０と同様に複数の絞り羽３１０ａから構成され、絞り孔Ｈ２の内径（絞り径）φの大きさが変更可能な可変絞りとして構成してある。ＦＳ絞り３１０は、図５に示すように、固定ステージ３０５の照明用開口３１５ｈの周縁部と、視野絞り回転環３１１（以下、これを「ＦＳ回転環３１１」とよぶ）の先端面によって保持されている。ＦＳ回転環３１１は、図示しない段付きビスを用いて固定ステージ３０５に対して回転可能に保持されている。
【００５３】
上述した実施の形態１と同様に、ＦＳ絞り３１０を構成する各絞り羽根３１０ａの、対物レンズ１１３に対向する面Ｓ２は、黒色に表面処理された固定ステージ３０５の表面よりも反射率が高くなるように表面処理が施されている。ＦＳ絞り３１０の面Ｓ２の具体的な表面処理方法は、実施の形態１と同じである。
【００５４】
また、図示は省略するが、固定ステージ３０５の所定の位置にはＦＳ回転環３１１を回転させるためのノブが設けられており、ユーザがこのノブを操作することにより、固定ステージ３０５に緩衝することなく容易にＦＳ回転環３１１を回転操作できるようになっている。固定ステージ３０５はＺ方向に動くことができるが、ＸＹ方向には動くことができない。また、ＦＳ絞り３１０の絞り孔Ｈ２の中心は、低倍率対物レンズ１１３の視野中心に工場出荷段階で調整されている。
【００５５】
以上のように構成された実施の形態２の作用について説明する。ユーザは、標本１１６が固定されたスライドガラス２０６を固定ステージ３０５に載せ、図示しないクレンメルを用いてスライドガラス２０６を固定する。次に、図示しないステージハンドルを操作することで、クレンメルとスライドガラス２０６をステージ面に平行なＸＹ面で移動する。ユーザは、スライドガラス２０６上の標本１１６を直接目視して、顕微鏡で拡大観察したい標本１１６のおおよその位置を対物レンズの光軸付近に移動させる。この際、標本１１６のバックは、上述したように白色や金属色の明るい色で構成されているため、ユーザは、標本１１６の位置を目視で容易に確認することができる。
【００５６】
標本１１６のＸＹ方向の位置が目視レベルで決まると、低倍率の対物レンズ１１３を観察光軸に挿入し、光源１０を点灯して標本１１６を透過照明し、標本１１６の像にピントを合わせる。通常はＦＳ絞り３１０の芯出しやピント合わせを行うが、本実施の形態では工場出荷時に芯もピントも合わせてあるので、特にここで必要な作業は発生しない。
【００５７】
最後に、ＡＳ回転環２０８を回転してＡＳ絞り２０７の絞り孔を変化させ、コントラストや焦点深度を調整すれば、低倍率対物レンズ１１３での透過明視野観察に適した照明条件が整う。以降、低倍率対物レンズ１１３にて標本１１６を詳細に顕微鏡観察し、より詳しく観察したい部位があるときには、高倍率の対物レンズ１１３に切替えて観察を行う。
【００５８】
以上説明したように、実施の形態２の顕微鏡によれば、実施の形態１で示した効果に加えて、ＦＳ絞り３１０の芯出しやピント合わせを不要とすることができるという効果が得られる。
【００５９】
（実施の形態３）
次に、本発明の実施の形態３に係る顕微鏡について説明する。なお、上述した実施の形態１，２で説明した構成要素と同一の構成要素については同一の符号を付して説明する。
【００６０】
図６は、実施の形態３で使用するコンデンサ１０８の一部を示す断面図であり、図７は、図６に示したコンデンサ１０８の斜視図である。上述した実施の形態１，２では、ＦＳ絞り２１０，３１０を、コンデンサレンズ保持枠２０３又は固定ステージ３０５に固定した構成とした。これに対して、実施の形態３では、図６及び図７に示すように、コンデンサレンズ保持枠２０３の先端部分に、視野絞り４１０（以下、これを「ＦＳ絞り４１０」とよぶ）を着脱可能に構成した点において上記の実施の形態１，２と異なっている。
【００６１】
ＦＳ絞り４１０は、図７に示すように、コンデンサレンズ保持枠２０３の円錐台形状をなす先端部分を覆うキャップ状の部材として構成されており、その上面４１１には、所定の大きさの絞り孔Ｈ３が形成されている。すなわち、ＦＳ絞り４１０は、絞り孔Ｈ３の絞り径φが、所定の対物レンズ１１３の視野径に外接する大きさに固定された固定絞りとして構成してある。
【００６２】
ＦＳ絞り４１０は上面部４１１、側面部４１２、フランジ部４１３とから構成され、上面部４１１及び側面部４１２の内径寸法は、コンデンサレンズ保持枠２０３の先端部分における上面部２０３ａ、側面部２０３ｂの径寸法よりもわずかに大きく形成してある。上記構成を有するＦＳ絞り４１０は、コンデンサレンズ保持枠２０３の先端部分における上面部２０３ａ，側面部２０３ｂと嵌合することで、コンデンサレンズ保持枠２０３に対してＺ方向の位置決めができるようになっている。
【００６３】
上記のＦＳ絞り４１０の対物レンズ１１３に対向する側の面Ｓ３は、実施の形態１、２のＦＳ絞り２１０，３１０と同様に、ステージ１０５よりも反射率を高くしてある。本実施の形態では、ＦＳ絞り４１０として、白色などの明るい色からなるモールド成形体を用いている。しかし、これに限定されるものではなく、ニッケル、クロム等の反射率の高い金属板によってＦＳ絞り４１０を構成してもよい。また、ＦＳ絞り４１０の表面Ｓ３に、上述した白色塗装や金属メッキを施してもよい。
【００６４】
ＦＳ絞り４１０は、複数の対物レンズ１１３の各視野径に外接する大きさの絞り径φに最適化された絞り孔Ｈ３を有するものが複数用意されており、使用する対物レンズ１１３に対応したＦＳ絞り４１０をコンデンサレンズ枠２０３の先端部に装着する。
【００６５】
以上のように構成された実施の形態３の作用について説明する。まず、使用する対物レンズ１１３の中で、最も視野の広い低倍率対物レンズ用のＦＳ絞り４１０をコンデンサレンズ保持枠２０３の上にかぶせる。ステージ１０５上に標本１１６が固定されたスライドガラス２０６を載せ、標本１１６の顕微鏡観察したい位置を対物レンズ１１３の光軸に近づける。この際、標本１１６のバックは、上述したように白色や金属色の明るい色で構成されているため、ユーザは、標本１１６の位置を目視で容易に確認することができる。
【００６６】
低倍率対物レンズ１１３を光軸に入れ、光源１０を点灯し、標本１１６にピントを合わせる。ＡＳ絞り２０７の穴を開放し、コンデンサ１０８を標本１１６に対して垂直方向に上下することで、ＦＳ絞り４１０の絞り孔Ｈ３の端面にピントを合わせる。ＦＳ絞り４１０は、完全に標本１１６の光軸方向で一致しているわけではないので、多少ピントボケの状態で合わせることになるが、不要な迷光を削除する効果は十分得られる。
【００６７】
次に、コンデンサ１０８をＸＹ方向に振って、ＦＳ絞り４１０の内径と接眼レンズ１１５の視野の中心とを合わせる。最後にＡＳ絞り２０７の絞り孔を変化させ、コントラストや焦点深度を調整すれば、低倍率対物レンズでの透過明視野観察に適した照明条件が整う。以降、低倍率対物レンズにて標本１１６を詳細に顕微鏡観察し、より詳しく観察したい部位がある場合には、高倍率の対物レンズ１１３に切替えるとともに、高倍率の対物レンズ１１３の視野径に対応した別のＦＳ絞り４１０に取替えて観察を行う。
【００６８】
以上説明したように、実施の形態３の顕微鏡によれば、実施例１で示した効果に加えて、ＦＳ絞り４１０として安価なモールド成形品を用いたことで、製造コストを抑えることができるという効果を奏する。さらに、ＦＳ絞り４１０は、倍率の異なる複数の対物レンズ１１３に応じて絞り径φを変更するのが好ましいが、実際には、ユーザは、対物レンズ１１３の倍率に応じて絞り径φを変更しないことが多く、最も視野径の大きい対物レンズ１１３の視野径に外接する絞り径φのＦＳ絞り４１０を使用し続けることが多い。そのため、製品を出荷する際に、最も視野径の大きい対物レンズ１１３の視野径に外接する絞り孔Ｈ３を有したＦＳ絞り４１０を顕微鏡と一緒に梱包しておけば、少なくとも絞り径φを操作しないユーザにとっては最適なＦＳ径を維持する効果が得られる。
【００６９】
（実施の形態４）
次に、本発明の実施の形態４に係る顕微鏡について説明する。なお、上述した実施の形態１〜３で説明した構成要素と同一の構成要素については同一の符号を付して説明する。
【００７０】
図８は、実施の形態４で使用するコンデンサ１０８の一部を示す断面図であり、図９は、図８に示したコンデンサ１０８の斜視図である。上述した実施の形態３では、ＦＳ絞り４１０をコンデンサレンズ保持枠２０３の先端部分に対して着脱可能に構成した。これに対して、本実施の形態では、ＦＳ絞り４１０を別個の部材として設ける替わりに、図８に示すように、コンデンサレンズ枠２０３の先端部における上面部２０３ａの開口部内径を小さくすることで、コンデンサレンズ枠２０３の上面部２０３ａにＦＳ絞りとしての機能をもたせた構成としている。すなわち、上面部２０３ａの開口部は、その内径φを最も視野径の大きい対物レンズ１１３の視野径と同じ大きさの径に形成されることで、ＦＳ絞りの絞り孔Ｈ４として機能する。
【００７１】
コンデンサレンズ保持枠２０３の表面全体は、ステージ１０５の表面よりも反射率が高くなるように表面処理されている。コンデンサレンズ保持枠２０３の具体的な表面処理方法は、実施の形態１〜３と同じである。本実施の形態では、コンデンサレンズ保持枠２０３の表面全体にニッケルやクロム等の金属メッキ処理を施すことで、表面全体を金属色そのままの明るい色で構成している。なお、上記の表面処理は、必ずしもコンデンサレンズ保持枠２０３の表面全体に亘って行う必要はなく、最低限度、ＦＳ絞りとして機能する上面２０３ａの表面に処理がなされていればよい。
【００７２】
また、図８及び図９に示すように、コンデンサレンズ枠２０３の絞り孔Ｈ４の内周面２０３ｄは、照明光の迷光が発生しないように、光軸に対して平行な面ではなく、傾斜面に形成されている。より詳細には、絞り孔Ｈ４の内周面２０３ｄは、上端部から下端部に向かって漸次その内径を小さくする態様で、傾斜面を構成している。
【００７３】
以上説明したように、本実施の形態の４に係る顕微鏡によれば、実施例１と実施例３で示した効果に加えて、ＦＳ絞りをそれ専用の部材として別個に設ける必要がなく、顕微鏡の構成部品を減らすことができるという効果が得られる。
【００７４】
なお、上記の実施の形態１，２では、ＦＳ絞り２１０、３１０として、絞り径φを変更可能な可変絞りを用いたが、ＦＳ絞り２１０、３１０として、絞り径φが固定された固定絞りを用いてもよい。
【図面の簡単な説明】
【００７５】
【図１】本発明の実施の形態１〜４が適用された顕微鏡の側面図である。
【図２】本発明の実施の形態１〜４が適用された顕微鏡の照明光学系の光路図である。
【図３】実施の形態１で使用するコンデンサの構成を示す断面図である。
【図４−１】図３に示したＦＳ絞りの平面図である。
【図４−２】ＦＳ絞りを構成する絞り羽の平面図及び矢視Ａ−Ａ図である。
【図５】実施の形態２で使用するコンデンサの構成を示す断面図である。
【図６】実施の形態３で使用するコンデンサの構成の一部を示す断面図である。
【図７】実施の形態３で使用するコンデンサの構成の一部を示す斜視図である。
【図８】実施の形態４で使用するコンデンサの構成の一部を示す断面図である。
【図９】実施の形態４で使用するコンデンサの構成の一部を示す斜視図である。
【図１０】従来の顕微鏡の照明光学系の光路図である。
【符号の説明】
【００７６】
１０    光源
２０    コレクタレンズ
３０    フィルタ
５０    ミラー
６０    窓レンズ
１０１  本体
１０２  ベース
１０３  照準ハンドル
１０４  ステージユニット
１０５，３０５  ステージ
１０５ｈ  照明用開口
１０６  ハンドル
１０７  ホルダ
１０８  コンデンサ
１０９  クランプねじ
１１０  芯出しねじ
１１１  鏡筒保持部
１１２  レボルバ
１１３  対物レンズ
１１４  鏡筒
１１５  接眼レンズ
１１６  標本
２０１  コンデンサアリ
２０２  コンデンサレンズ
２０３  コンデンサレンズ保持枠
２０４  間隔環
２０５  押さえ環
２０６  スライドガラス
２０７  ＡＳ絞り（開口絞り）
２０８  ＡＳ回転環（開口絞り回転環）
２１０，３１０，４１０  ＦＳ絞り（視野絞り）
２１１，３１１  ＦＳ回転環（視野絞り回転環）
Ｈ１，Ｈ２，Ｈ３，Ｈ４  絞り孔
Ｓ１，Ｓ２，Ｓ３，Ｓ４  ＦＳ絞りの対物レンズに対向する側の面
【図１】
2010097075.tif 000003
【図２】
2010097075.tif 000004
【図３】
2010097075.tif 000005
【図４−１】
2010097075.tif 000006
【図４−２】
2010097075.tif 000007
【図５】
2010097075.tif 000008
【図６】
2010097075.tif 000009
【図７】
2010097075.tif 000010
【図８】
2010097075.tif 000011
【図９】
2010097075.tif 000012
【図１０】
2010097075.tif 000013